(57)【要約】【課題】視聴可能化情報（解除情報）を確実に検出し、受信契約者が放送を受信できなくなるといった不具合を回避できる放送受信装置及び記録再生装置を提供する。【解決手段】受信契約者のみ視聴を可能とするための視聴可能化情報としての鍵個別情報ＥＭＭの抽出及び復号化を行うＥＭＭ抽出／復号化部１４は、スイッチ２０３の入力側に接続されている。したがって、スイッチ２０３の可動接片がｂ側に位置している記録再生部２０５の再生中においても、鍵個別情報ＥＭＭは、抽出、復号化され、メモリ２０８に格納される。【選択図】　図１
2004032789.tif 000002
【特許請求の範囲】
【請求項１】
所定のパケット構造を有し、送信者が許可した受信者に対してのみ放送信号の暗号化を解除可能とする解除情報を含む暗号化放送信号を受信する放送受信装置において、
暗号化して送信された前記暗号化放送信号を受信する受信手段と、
前記受信手段にて受信した前記暗号化放送信号と、外部機器から入来し、前記暗号化放送信号と同一のパケット構造を有する外部信号とを切り換え出力する切換手段と、
前記切換手段の前段に接続され、前記受信手段にて受信した前記暗号化放送信号から前記暗号化の解除に必要となる解除情報を抽出する抽出手段と、
前記切換手段の出力信号が供給され、前記出力信号に所定のパケット処理を施すと共に、前記出力信号が暗号化された信号である場合に、前記抽出手段にて抽出した解除情報により暗号化の解除を行う変換手段と
を有することを特徴とする放送受信装置。
【請求項２】
所定のパケット構造を有し、送信者が許可した受信者に対してのみ放送信号の暗号化を解除可能とする解除情報を含む暗号化放送信号を受信する放送受信装置を内蔵し、前記暗号化放送信号における暗号化を解除した信号を記録媒体を用いて記録再生する記録再生装置において、
暗号化して送信された前記暗号化放送信号を受信する受信手段と、
前記受信手段にて受信した前記暗号化放送信号と、前記記録媒体から再生した前記暗号化放送信号と同一のパケット構造を有する再生信号とを切り換え出力する切換手段と、
前記切換手段の前段に接続され、前記受信手段にて受信した前記暗号化放送信号から前記暗号化の解除に必要となる解除情報を抽出する抽出手段と、
前記切換手段の出力信号が供給され、前記出力信号に所定のパケット処理を施すと共に、前記出力信号が暗号化された信号である場合に、前記抽出手段にて抽出した解除情報により暗号化の解除を行う変換手段と
を有することを特徴とする記録再生装置。
【発明の詳細な説明】
【０００１】
【発明の属する技術分野】
本発明は、送信者が許可した受信者に対してのみ放送信号の暗号化を解除可能とする解除情報を含む暗号化放送信号を受信し、受信した解除情報を用いて暗号化放送信号の暗号化を解除するようにした放送受信装置及びこのような受信装置を内蔵する記録再生装置に関する。
【０００２】
【従来の技術】
先ずディジタル放送における送出信号の多重化の詳細例について図２を参照して説明する。同図は、ディジタル放送信号が例えばＭＰＥＧ２トランスポートストリームで送信される場合の送信側システムの要部の構成を示すブロック図であり、このシステムは、複数の番組１〜ｋに対応した信号処理部１０１、１０２、…１０ｋと、番組の属性情報などの暗号化に使用するワーク鍵Ｋｗ及び受信者の契約情報を暗号化する暗号化部１２１と、各信号処理部の出力及びその他の情報を時分割多重化する多重化部１２２とを備えている。
【０００３】
このシステムでは、信号処理部１０１は、番組１のビデオ信号やオーディオ信号を、ＭＰＥＧ２の圧縮フォーマットにしたがって圧縮し、ＰＥＳ（ＰａｃｋｅｔｉｚｅｄＥｌｅｍｅｎｔａｒｙ　Ｓｔｒｅａｍ）パケットと呼ばれるパケットを構成し、文字多重などのデータ信号のＰＥＳパケットとともに時分割多重する。次にこうして得られれた信号を他の番組の情報や暗号化の情報と多重化して送り出すために、図３（ｂ）に示すＴＳ（Ｔｒａｎｓｐｏｒｔ　Ｓｔｒｅａｍ）パケットに載せる。ＴＳパケットは、１８８バイトからなり、４バイトのヘッダの後にアダプテーションフィールド及び／またはペイロードが続く構成を有する。上記ＰＥＳパケットは、図３に示すようにさらに分割され、ＴＳパケットのペイロードの部分に挿入されて伝送される。
【０００４】
各番組１〜ｋは、ＴＳパケットヘッダの中に記されているパケット識別子ＰＩＤ（Ｐａｃｋｅｔ　ＩＤ）により区別される。ここで、番組が限定受信の対象となる場合には、その番組の信号をＴＳパケットのペイロードに載せるのに先立ってスクランブル鍵Ｋｓによりスクランブルをかける。スクランブル鍵Ｋｓ及び番組の属性情報は、鍵共通情報ＥＣＭ（Ｅｎｔｉｔｌｅｍｅｎｔ　Ｃｏｎｔｒｏｌ　Ｍｅｓｓａｇｅ）として、ワーク鍵Ｋｗにより暗号化された後、ＴＳパケット化されて多重化される。
【０００５】
他の番組についても同様にＰＥＳパケットが構成され、ＴＳパケット化された後、他の番組の情報等と時分割多重される。ワーク鍵Ｋｗは、他の契約情報と共に鍵個別情報ＥＭＭ（Ｅｎｔｉｔｌｅｍｅｎｔ　Ｍａｎａｇｅｍｅｎｔ　Ｍｅｓｓａｇｅ）として、所定のパケット識別子ＰＩＤを有するＴＳパケットとして送られる。
【０００６】
表１に、鍵共通情報ＥＣＭと鍵個別情報ＥＭＭの内容の具体例を示す。
【０００７】
【表１】
2004032789.tif 000003
鍵個別情報ＥＭＭ以外にも、放送業者独自のパケットを定義し、これでデータを送ることにより、例えば放送業者側で暗号化のアルゴリズム自体を変更するように受信側の制御ソフトウエアを書き換えてしまうこともできる。鍵個別情報ＥＭＭや、上記放送業者独自のパケットで送られてくる情報は、限定受信システムにおいて、これらの情報を正しく受信機に取り込めた者だけが番組の視聴ができるので、以下鍵個別情報ＥＭＭ等を「視聴可能化情報」と呼ぶ。
【０００８】
ＴＳパケットとして多重化されるものとしては、電子番組ガイドＥＰＧ（Ｅｌｅｃｔｒｏｎｉｃ　Ｐｒｏｇｒａｍ　Ｇｕｉｄｅ）用の番組一覧情報などもある。視聴可能化情報は、放送業者と正式に契約された受信者のみ利用可能で、例えば料金未払いなどの理由で契約を解除されたデコーダは利用できないようにされている。新規の情報を含むこれらのパケットが送出されると、以降送られる番組については、暗号解読等においてこれらのパケットで送られた視聴可能化情報が必要となるため、これらのパケットを受信できなかった場合には、番組を視聴できなくなる。正式契約者であるにも拘わらず、停電などによりこれらのパケットを受信できずに視聴ができなくなったときは、放送業者に事情を連絡して必要情報を再送してもらう等の手間がかかることになる。
【０００９】
次に、上記のディジタル放送、ここではディジタル衛星放送を例にとって、その受信及び記録について説明する。図４は、ディジタル衛星放送受信装置を内蔵するディジタル情報記録再生装置のブロック図であり、同様の構成を有する装置は、例えば特開平８−３４０５１４号公報に示されている。この装置は、アンテナ２０１に接続され、周波数変換、復調、誤り訂正などの処理を行い、処理後の信号を受信ディジタル放送信号として出力するフロントエンド２０２と、スイッチ２０３と、受信ディジタル放送信号または後述する記録再生部２０５によって記録媒体から再生された再生信号から所望の番組に対応する信号を抽出して、デスクランブル処理を行い、処理後の信号を抽出ディジタル信号として出力するデマルチプレクサ２０４と、抽出ディジタル信号並びに内容が書き換えられたプログラム構成を示す情報（後述するプログラムアソシエーションテーブルＰＡＴ及びプログラムマップテーブルＰＭＴ）を、例えば磁気テープ等の記録媒体に記録し、該記録媒体に記録された信号を再生する記録再生部２０５と、抽出ディジタル信号の伸張処理等を行うとともにＤ／Ａ変換を行ってアナログのビデオ信号及びオーディオ信号を出力するビデオ／オーディオデコーダ２０６と、デコーダ２０６から出力されるビデオ信号を、日本や米国における標準テレビション信号であるＮＴＳＣ信号あるいはイギリス、ドイツなどにおける標準テレビジョン信号であるＰＡＬ信号に変換して出力するＮＴＳＣ／ＰＡＬエンコーダ２０７とを備えている。
【００１０】
図５はデマルチプレクサ２０４の構成を示すブロック図であり、デマルチプレクサ２０４は、受信ディジタル信号から鍵個別情報ＥＭＭを抽出し、マスタ鍵Ｋｍを用いて復号化するＥＭＭ抽出／復号化部１４と、受信ディジタル信号から鍵共通情報ＥＣＭを抽出し、ワーク鍵Ｋｗを用いて復号化するＥＣＭ抽出／復号化部１５と、受信ディジタル信号から、プログラムを構成するパケットのパケット識別子ＰＩＤを示すプログラムマップテーブルＰＭＴ（Ｐｒｏｇｒａｍ　Ｍａｐ　Ｔａｂｅｌ）を抽出し、解析を行うＰＭＴ抽出／解析部１６と、受信ディジタル信号から、プログラムマップテーブルＰＭＴのパケット識別子ＰＩＤを示すプログラムアソシエーションテーブルＰＡＴ（Ｐｒｏｇｒａｍ　Ａｓｓｏｃｉａｔｉｏｎ　Ｔａｂｌｅ）を抽出し、解析を行うＰＡＴ抽出／解析部１７と、抽出ディジタル信号とともに記録媒体に記録するプログラムアソシエーションテーブルＰＡＴ及びプログラムマップテーブルＰＭＴの書き換え処理を行うＰＡＴ／ＰＭＴ書換部１８と、所望の番組のパケットを抽出するパケット抽出部１１と、スクランブル鍵Ｋｓを用いて抽出したパケットのデスクランブルを行うデスクランブル部１２と、デスクランブル部１２から出力される抽出ディジタル信号と、ＰＡＴ／ＰＭＴ書換部１８から出力されるプログラムアソシエーションテーブルＰＡＴ及びプログラムマップテーブルＰＭＴとを多重化して記録再生部２０５へ出力する多重化部１３とを備えている。
【００１１】
次に図４の装置の動作を説明する。アンテナ２０１から入来するディジタル放送信号は、フロントエンド２０２において周波数変換、復調、誤り訂正などの処理を経てベースバンドの受信ディジタル放送信号とされ、スイッチ２０３に供給される。スイッチ２０３の出力信号は複数の番組が時分割多重されており、デマルチプレクサ２０４により、その中から所望の番組に関する信号が抽出される。
【００１２】
デマルチプレクサ２０４では、まず入力信号の中からパケット識別子ＰＩＤが所定の値に固定されているプログラムアソシエーションテーブルＰＡＴを、この所定のパケット識別子ＰＩＤ（例えば「０」）を検出することにより抽出し、メモリ２０８内の領域（ここでは領域１）に格納する。プログラムアソシエーションテーブルＰＡＴには、各プログラム番号（１６ビット）毎の後述するプログラムマップテーブルＰＭＴのパケット識別子ＰＩＤのリストが入っており、この内容を解析することにより、所望の番組のプログラムマップテーブルＰＭＴを受信するにはどのパケット識別子ＰＩＤのパケットを抽出すればよいかを知ることができる。これにしたがって得た所望の番組のプログラムマップテーブルＰＭＴには、そのプログラムを構成する画像、音声、付加データなどのストリームが伝送されているパケットのパケット識別子ＰＩＤのリストが記されている。プログラムマップテーブルＰＭＴは、メモリ２０８内の所定の領域（ここでは領域２）に格納される。プログラムマップテーブルＰＭＴを解析することにより、所望の番組の画像・音声などのデータが抽出することができる。鍵個別情報ＥＭＭ等の限定受信に必要な視聴可能化情報は、所定のパケット識別子ＰＩＤを有するパケットを抽出することにより得られ、メモリ２０８内の所定の領域（ここでは領域４）に格納される。
【００１３】
以下、鍵個別情報ＥＭＭ以外に放送業者独自の視聴可能化情報がある場合は、鍵個別情報ＥＭＭと同様に扱えばよいので、視聴可能化情報が鍵個別情報ＥＭＭである場合について説明する。鍵個別情報ＥＭＭの抽出はビットストリーム中の所定のパケット識別子ＰＩＤを有するパケットを抽出することにより行われ、鍵個別情報ＥＭＭの暗号化は、当該受信装置内に保存されているマスタ鍵Ｋｍにより解読される。なお、鍵個別情報ＥＭＭは例えば数日から１ヶ月の間隔で送られるものであって常に送られるものではないが、ワーク鍵Ｋｗとしてはメモリの領域４に蓄積されている最新のものを用いる。
【００１４】
抽出された画像・音声などのデータにスクランブルがかけられているときには、これを解除する。そのためにはスクランブル鍵Ｋｓを求める必要がある。スクランブル鍵Ｋｓは、鍵共通情報ＥＣＭで送られるので、プログラムマップテーブルＰＭＴに記されている当該番組の鍵共通情報ＥＣＭについてのパケット識別子ＰＩＤに基づいて、トランスポートストリームから鍵共通情報ＥＣＭを抽出する。鍵共通情報ＥＣＭは、ワーク鍵Ｋｗにより暗号化されているので、鍵個別情報ＥＭＭに記されているワーク鍵Ｋｗを用いてこの暗号化情報を解読し、メモリ２０８内の所定の領域（ここでは領域３）に格納する。デマルチプレクサ２０４により抽出されスクランブルが解除された所望の番組に関する抽出ディジタル信号のうち、ビデオ及びオーディオの信号は、例えばＭＰＥＧ２等の圧縮方式で圧縮されている。この圧縮された信号をビデオ／オーディオデコーダ２０６によりデコードしてアナログ信号に変換し、ＮＴＳＣ／ＰＡＬエンコーダ２０７によりＮＴＳＣやＰＡＬ等の標準方式の信号とされ、出力される。
【００１５】
受信したディジタル放送信号を記録媒体に記録するときは、スイッチ２０３の可動接片がａ側とされる。そして、パケット抽出部１１で抽出され、デスクランブル部１２でデスクランブルされた信号が、書き換えられたプログラムアソシエーションテーブルＰＡＴ及びプログラムマップテーブルＰＭＴと多重化されて記録再生部２０５に供給される。抽出ディジタル信号とともに記録されるプログラムアソシエーションテーブルＰＡＴ及びプログラムマップテーブルＰＭＴは、ＰＡＴ／ＰＭＴ書換部１８により記録する信号に関するものに限った内容のものに書き換えられたものである。したがって、記録媒体に記録されるディジタル信号は、受信ディジタル放送信号から抽出された抽出ディジタル信号と、書き換えられたプログラムアソシエーションテーブルＰＡＴ及びプログラムマップテーブルＰＭＴを含み、受信ディジタル放送信号と同様の形態を有する。
【００１６】
記録媒体に記録された信号を再生するときには、スイッチ２０３の可動接片がｂ側とされ、デマルチプレクサ２０４に入力される。デマルチプレクサ２０４は、再生されたディジタル信号のうち、所望の番組に関するビデオ信号及びオーディオ信号等、信号の復元に必要な情報を取り出し、放送受信時と同様の処理を行う。
【００１７】
【発明が解決しようとする課題】
しかしながら、上記の構成では、デマルチプレクサ２０４以降の回路は、放送受信時と記録再生部２０５からの再生時で兼用しているため、記録再生部２０５の再生中に、たまたま鍵個別情報ＥＭＭなどの視聴可能化情報が放送局から送られても検出することができず見逃してしまうことがあり、契約しているにもかかわらず以降の放送の受信が行えなくなるという問題点があった。
【００１８】
本発明はこの点に着目してなされたものであり、視聴可能化情報（放送信号の暗号化を解除可能とする解除情報）を確実に検出し、受信契約者が放送を受信できなくなるといった不具合を回避できる放送受信装置及び記録再生装置を提供することを目的とする。
【００１９】
【課題を解決するための手段】
上記目的を達成するため請求項１に記載の発明は、所定のパケット構造を有し、送信者が許可した受信者に対してのみ放送信号の暗号化を解除可能とする解除情報を含む暗号化放送信号を受信する放送受信装置において、暗号化して送信された前記暗号化放送信号を受信する受信手段と、前記受信手段にて受信した前記暗号化放送信号と、外部機器から入来し、前記暗号化放送信号と同一のパケット構造を有する外部信号とを切り換え出力する切換手段と、前記切換手段の前段に接続され、前記受信手段にて受信した前記暗号化放送信号から前記暗号化の解除に必要となる解除情報を抽出する抽出手段と、前記切換手段の出力信号が供給され、前記出力信号に所定のパケット処理を施すと共に、前記出力信号が暗号化された信号である場合に、前記抽出手段にて抽出した解除情報により暗号化の解除を行う変換手段とを有することを特徴とする。
【００２０】
請求項２に記載の発明は、所定のパケット構造を有し、送信者が許可した受信者に対してのみ放送信号の暗号化を解除可能とする解除情報を含む暗号化放送信号を受信する放送受信装置を内蔵し、前記暗号化放送信号における暗号化を解除した信号を記録媒体を用いて記録再生する記録再生装置において、暗号化して送信された前記暗号化放送信号を受信する受信手段と、前記受信手段にて受信した前記暗号化放送信号と、前記記録媒体から再生した前記暗号化放送信号と同一のパケット構造を有する再生信号とを切り換え出力する切換手段と、前記切換手段の前段に接続され、前記受信手段にて受信した前記暗号化放送信号から前記暗号化の解除に必要となる解除情報を抽出する抽出手段と、前記切換手段の出力信号が供給され、前記出力信号に所定のパケット処理を施すと共に、前記出力信号が暗号化された信号である場合に、前記抽出手段にて抽出した解除情報により暗号化の解除を行う変換手段とを有することを特徴とする。
【００２１】
【発明の実施の形態】
以下本発明の実施の形態を図面を参照して説明する。図１は本発明の一実施形態にかかるディジタル放送受信装置を内蔵したディジタル情報記録再生装置の要部の構成を示すブロック図であり、図４及び５に示す従来の装置と同様の構成要素に同一の参照符号を付している。本実施形態の装置は、図５のデマルチプレクサ２０４から、ＥＭＭ抽出／復号化部１４及びＥＣＭ抽出／復号化部１５を除いた構成のデマルチプレクサ２０４ａを有し、ＥＭＭ抽出／復号化部１４及びＥＣＭ抽出／復号化部１５はデマルチプレクサ２０４ａの外部に設けられるとともに、スイッチ２０３の入力側、すなわちフロントエンド２０３の出力から、受信ディジタル放送信号が直接ＥＭＭ抽出／復号化部１４及びＥＣＭ抽出／復号化部１５に供給されるように構成されている。
【００２２】
この構成によれば、スイッチ２０３の可動接片がｂ側に保持される記録再生部２０５の再生中であっても、送信者が送出する鍵個別情報ＥＭＭが抽出、復号化され、メモリ２０８に格納されるので、視聴可能化情報としてのワーク鍵Ｋｗが確実に検出、記憶され、受信契約者が放送を受信できなくなるといった不具合を回避することができる。
【００２３】
なお本発明は上述した実施形態に限るものではなく、種々の変形が可能である。例えば、記録再生部２０５においてディジタル情報を記録する記録媒体は、磁気テープに限らず、磁気ディスクや光磁気ディスク等であってもよい。
【００２４】
また、記録再生部２０５をディジタル情報記録再生装置として、ディジタル放送受信装置と分離した構成としてもよい。その場合には、ディジタル放送受信装置は、フロントエンド２０２、スイッチ２０３、デマルチプレクサ２０４ａ、ＥＭＭ抽出／復号化部１４、ＥＣＭ抽出／復号化部１５、メモリ２０８等を備えるとともに、デマルチプレクサ２０４ａの多重化部１３の出力側に抽出ディジタル情報出力端子と、スイッチ２０３のｂ側に接続された再生信号入力端子とを備えるように構成する。
【００２５】
また、ＥＭＭ抽出／復号化部１４の入力信号のみ、スイッチ２０３の入力側から供給し、ＥＣＭ抽出／復号化部１５の入力信号はスイッチ２０３の出力側から供給するようにしてもよい。
【００２６】
【発明の効果】
以上詳述したように本発明の装置は、暗号化して送信された暗号化放送信号を受信する受信手段と、前記受信手段にて受信した暗号化放送信号と、外部機器から入来する外部信号又は記録媒体から再生した再生信号とを切り換え出力する切換手段と、前記暗号化放送信号と同一のパケット構造を有する外部信号とを切り換え出力する切換手段と、前記切換手段の前段に接続され、前記受信手段にて受信した暗号化放送信号から暗号化の解除に必要となる解除情報を抽出する抽出手段と、前記切換手段の出力信号が供給され、前記出力信号に所定のパケット処理を施すと共に、前記出力信号が暗号化された信号である場合に、前記抽出手段にて抽出した解除情報により暗号化の解除を行う変換手段とを備え、前記抽出手段は、前記切換手段に入力される暗号化放送信号から前記解除情報を抽出するように構成されているので、切換手段が外部信号又は再生信号を選択しているときでも、暗号化放送信号から解除情報を確実に抽出することができ、受信契約者が放送を受信できなくなるといった不具合を回避できる。
【図面の簡単な説明】
【図１】本発明の一実施形態にかかるディジタル放送受信装置を内蔵したディジタル情報記録再生装置の要部の構成を示す図である。
【図２】受信者を限定したディジタル放送の送信者側における信号処理を説明するためのブロック図である。
【図３】ディジタル放送信号のパケット構成を説明するための図である。
【図４】従来のディジタル放送受信装置を内蔵するディジタル情報記録再生装置の要部の構成を示すブロック図である。
【図５】図４のデマルチプレクサの構成を示すブロック図である。
【符号の説明】
１４　　ＥＭＭ抽出／復号化部（抽出手段）
２０１　　アンテナ
２０２　　フロントエンド
２０３　　スイッチ（切換手段）
２０４ａ　　デマルチプレクサ（変換手段）
２０５　　記録再生部
【図１】
2004032789.tif 000004
【図２】
2004032789.tif 000005
【図３】
2004032789.tif 000006
【図４】
2004032789.tif 000007
【図５】
2004032789.tif 000008